(57)【要約】【課題】読取り装置及びコントローラを有する光ディスクプレーヤを提供する。【解決手段】読取り装置が光ディスクの表面マークから帯域外情報を導出し、コントローラが導出された情報に基づいて読取り装置の動作を制御する。制御された動作は光ディスクの埋込みデータの読取り及びレンダリングを含んでよい。例えば、ある人が「スペイン語」及び「ワイドスクリーン」という単語をＤＶＤの表面にマーカで書き込み、そのＤＶＤをＤＶＤプレーヤに挿入する。ＤＶＤプレーヤはＤＶＤの表面をスキャンして結果として得られた画像データを光学式文字読取り装置（ＯＣＲ）モジュールに送信する。ＯＣＲモジュールは「スペイン語」及び「ワイドスクリーン」という単語を含むテキストファイルをコントローラ（例えばMicrosoftのＨＤｉランタイム）に出力する。それに応答して、コントローラは再生言語をスペイン語に、及びスクリーンフォーマットをワイドスクリーンに設定する。【選択図】図４
2010262729.tif 000002
【特許請求の範囲】
【請求項１】
光ディスク読取り装置を有する光ディスクプレーヤの動作を制御するためのプレーヤ実装方法であって、
（ａ）光ディスクの表面マークから帯域外情報を導出するステップ、及び、
（ｂ）前記導出された帯域外情報に基づいて前記光ディスク読取り装置の前記動作を制御するステップ
を備える方法。
【請求項２】
請求項１に記載の方法であって、ステップ（ｂ）が、前記光ディスク読取り装置によって前記光ディスクから読み取られた埋込みデータのレンダリングに関連付けられる１つ以上の再生オプションを設定することからなる方法。
【請求項３】
請求項２に記載の方法であって、前記１つ以上の再生オプションが、再生の言語のうちの１つ以上、前記再生中に字幕を含むかどうか、前記再生のための音声フォーマット、再生のためのスクリーンフォーマット、及び前記再生中に解説を含むかどうか、からなる方法。
【請求項４】
光ディスクの表面マークから帯域外情報を導出するように構成された光ディスク読取り装置、及び、
前記導出された帯域外情報に基づいて前記光ディスク読取り装置の動作を制御するように構成されたコントローラ
を備えた光ディスクプレーヤ。
【請求項５】
請求項４に記載の光ディスクプレーヤシステムであって、前記光ディスク読取り装置が、
（ｉ）前記表面マークに対応する画像データを生成し、及び、
（ｉｉ）前記導出された帯域外情報を生成するために前記画像データを処理するように構成された光ディスクプレーヤシステム。
【請求項６】
請求項４に記載の光ディスクプレーヤであって、前記コントローラが、前記光ディスク読取り装置によって前記光ディスクから読み取られた埋込みデータのレンダリングに関連付けられる１つ以上の再生オプションを設定するように構成されている光ディスクプレーヤ。
【請求項７】
請求項６に記載の光ディスクプレーヤであって、前記１つ以上の再生オプションが、前記再生の言語のうちの１つ以上、前記再生中に字幕を含むかどうか、前記再生のための音声フォーマット、再生のためのスクリーンフォーマット、及び前記再生中に解説を含むかどうか、からなる光ディスクプレーヤ。
【請求項８】
請求項４に記載の光ディスクプレーヤであって、前記光ディスク読取り装置が前記光ディスクの埋込みデータと前記表面マークの両方を読み取るように構成された光ディスクプレーヤ。
【請求項９】
請求項８に記載の光ディスクプレーヤであって、前記光ディスク読取り装置が、
（ｉ）光学解像度の第１レベルで、前記埋込みデータに対応する画像データの第１セットを、及び、
（ｉｉ）前記第１レベルと異なる光学解像度の第２レベルで、前記表面マークに対応する画像データの第２セットを生成するように構成されたレンズアセンブリを備える、光ディスクプレーヤ。
【請求項１０】
請求項８に記載の光ディスクプレーヤであって、前記光ディスク読取り装置が、
（ｉ）光学解像度の第１レベルで、前記埋込みデータに対応する画像データの第１セットを生成するように構成されたレンズアセンブリ、及び、
（ｉｉ）前記第１レベルと異なる光学解像度の第２レベルで、前記表面マークに対応する画像データの第２セットを生成するように構成された、前記レンズアセンブリとは別の画像装置を備える、光ディスクプレーヤ。
【発明の詳細な説明】
【技術分野】
【０００１】
関連出願の相互参照
本出願は２００９年５月１日に代理人整理番号Ｆｒａｔｔｉ４４−９として出願された米国仮出願第６１／１７４５６８号の利益を主張し、その教示を参照によりその全体を本明細書に組み込む。
【０００２】
本出願の主題は本出願と同日に代理人整理番号Ｆｒａｔｔｉ４３−８として出願された米国特許出願第ｘｘ／ｘｘｘｘｘｘ号の主題に関し、その教示を参照によりその全体を本明細書に組み込む。
【０００３】
本発明は光ディスクへの情報の書込み、及び光ディスクからの情報の読取りに関する。
【背景技術】
【０００４】
コンパクトディスク（ＣＤ）及びデジタル多用途ディスク（ＤＶＤ）などの事前に記録された読取り専用光ディスクはデジタル情報、例えばデジタル的に符号化された映画の格納及び流通のための一般的なメディアである。典型的な映画ＤＶＤは多様な再生オプション、例えば異なる対話言語（フランス語、スペイン語など）、異なる音声オプション（５．１サラウンドサウンド、ステレオなど）、異なるスクリーンフォーマット（ワイドスクリーン、フルスクリーン）、解説オン又はオフ、字幕オン又はオフなどをユーザに提供する。再生オプションを変更するための典型的な処理は、ユーザがプレーヤのコントロールボタン又はリモートコントロールを使用して１つ以上のスクリーン上のメニューを検索することであり、場合によっては冗長な処理である。一般にこの処理はディスクが特定のプレーヤで初めて再生されるときに実行される。さらに、特定のディスクについての設定を記憶できないプレーヤについては、ディスクがプレーヤに挿入されるたびにユーザは再生オプション設定処理を繰り返さなければならない場合がある。
【先行技術文献】
【特許文献】
【０００５】
【特許文献１】米国仮出願第６１／１７４５６８号
【特許文献２】米国特許出願第ｘｘ／ｘｘｘｘｘｘ号
【発明の概要】
【課題を解決するための手段】
【０００６】
一実施形態では、本発明は光ディスク読取り装置を有する光ディスクプレーヤの動作を制御するためのプレーヤ実装方法である。この方法は、光ディスクの表面マークから帯域外情報を導出し、導出された帯域外情報を使用して光ディスク読取り装置の動作を制御する。
【０００７】
他の実施形態では、本発明は（ｉ）光ディスクの表面マークから帯域外情報を導出するように構成された光ディスク読取り装置、及び（ｉｉ）導出された帯域外情報に基づいて光ディスク読取り装置の動作を制御するように構成されたコントローラを備える光ディスクプレーヤである。
【０００８】
他の実施形態では、本発明は光ディスクを再生するために光ディスクプレーヤを使用するユーザ実装方法である。ユーザは１つ以上の選択された再生オプションに対応する表面マークを光ディスクに適用する。次いで、ユーザは光ディスクプレーヤが（ｉ）１つ以上の選択された再生オプションに対応する帯域外情報を表面マークから導出できるように、及び（ｉｉ）１つ以上の選択された再生オプションを実装するために帯域外情報に基づいて光ディスクの埋込みデータのレンダリングを制御できるように、光ディスクプレーヤを操作する。
【０００９】
本発明の他の態様、特徴、及び諸利点は、以下の発明を実施するための形態、添付の特許請求の範囲、及び同様の参照番号が類似又は同一の要素を識別する添付の図面からより十分に明らかになるだろう。
【図面の簡単な説明】
【００１０】
【図１】典型的な読取り専用光ディスク１００の横断面である。
【図２】本発明の一実施形態によるディスクプレーヤ２００のブロック図である。
【図３】本発明の様々な実施形態による図２のディスクプレーヤ２００の機能の流れ図である。
【図４】本発明の一実施形態による図２のディスクプレーヤ２００の１つの可能な使用を説明する流れ図である。
【図５】本発明の特定の実施形態による、ユーザが図１の光ディスク１００上に作成してよい表面マークの例を示す図である。
【図６】ディスク１００上の表面マーク５００を読み取るレンズアセンブリ６００を説明する図である。
【発明を実施するための形態】
【００１１】
図１は典型的な読取り専用光ディスク１００の横断面である。光ディスク１００は、いくつかの層を備える平らな円形ディスクである。最下層１０２は透明なポリカーボネートプラスチックである。層１０２の底面１０４（すなわちディスク１００の底面）は滑らかである。一般にデータは単一、連続、スパイラルトラックのピット１０６、及び層１０２の表面にエッチングされたランド１０８として格納される。この方式で格納されたデータは埋込みデータと呼ばれる。ピット及びランドの大きさは特定の光ディスクのフォーマットによる。ＣＤ上では、ピットは深さ１００ナノメートル、幅５００ナノメートル、及び最小長さ８５０ナノメートルである。ＤＶＤ上では、ピットは深さ１２０ナノメートル、幅３２０ナノメートル、及び最小長さ４００ナノメートルである。
【００１２】
層１１０は反射素材であり、一般にアルミニウムである。層１１２は反射層１１０を保護するアクリル層である。光層１１４はラベル又は印刷である。
【００１３】
ディスクプレーヤは光ディスクに格納された情報を読み取って出力するためのシステムである。ディスクプレーヤは、スタンドアロン型ＤＶＤプレーヤなどの独立型装置でもよく、パーソナルコンピュータ又はラップトップ型コンピュータ内のＣＤ読取り装置及び関連ソフトウェアなどの、より大きなシステムのサブシステムでもよい。ディスクプレーヤは帯域内データをレンダリングするために必要なコンポーネントを含むことができ（例えば内蔵モニタを有するＤＶＤプレーヤなど）、そうでない場合はスタンドアロン型ＤＶＤプレーヤにはなれない。
【００１４】
図２は本発明の一実施形態によるディスクプレーヤ２００のブロック図である。ディスクプレーヤ２００はディスク読取り装置２０２及びコントローラ２０４を備える。ディスク読取り装置２０２はディスクドライブ２０６及び信号プロセッサ２０８を備える。信号プロセッサ２０８は光学式文字読取り装置（ＯＣＲ）モジュール２２２を含む。
【００１５】
ディスクプレーヤ２００のデータフローは一般に帯域内データ又は帯域外データである。帯域内データは、スクリーン上に表示された映画又はスピーカを介して再生された音楽などのディスクプレーヤによって出力されたデータを指す。図２では、ディスクドライブ２０６が光ディスク上の埋込みデータを読み取って帯域内データ２１０をプロセッサ２０８に出力する。プロセッサ２０８は帯域内データ２１０に１つ以上の処理動作（例えばエラー検出／訂正、復号、デジタル−アナログ変換）を実行して、処理した帯域内データ２１２を出力する。
【００１６】
帯域外データはディスクプレーヤの動作を制御するデータを指す。データ２１４、２１６、又は２１８などの帯域外データは、それぞれコントローラ２０４、ディスクドライブ２０６、又はプロセッサ２０８のうちのいずれかによって生成されてよい。或いは又はそれに加えて、データ２２０などの帯域外データがディスクプレーヤ２００の外部のソースから受信されてよい。
【００１７】
コントローラ２０４はディスクドライブ２０６及びプロセッサ２０８の両方の動作を制御する。例えばコントローラ２０４は赤外線リモートコントロール装置から帯域外データ２２０を受信して様々な再生オプションをスクリーンに表示する実行可能プログラムでよい。ユーザはリモートコントロールを使用して再生オプションを選択する。コントローラは選択された再生オプションをディスクドライブ２０６への帯域外データ２１４に、及びプロセッサ２０８への帯域外データ２１６に変換する。
【００１８】
ディスクドライブ２０６は、ドライブモータ、トラッキングメカニズム、及びレンズアセンブリの３つの主なコンポーネント（図示せず）を備える電気機械的アセンブリである。ドライブモータはディスクを回転させる。トラッキングメカニズムは埋込みデータのスパイラルトラックに沿ってレンズアセンブリを動かして、例えばレンズアセンブリの焦点を合わせるようにディスク表面とレンズアセンブリとの間の距離を調整する。レンズアセンブリは（ｉ）１つ以上の光源（例えばレーザ）、（ｉｉ）１つ以上のレンズ、及び（ｉｉｉ）１つ以上の光センサ（例えばフォトダイオード）を備える。
【００１９】
ディスクドライブ２０６は光ディスクの埋込みデータを読み取るように構成されており、埋込みデータを読み取るために読取り処理を実行する。ドライブモータは光ディスクを回転させて読取り処理の間ディスクの回転を維持する。トラッキングメカニズムはデータを読み取るためにレンズアセンブリを光ディスクに隣接する正しい位置に動かす。トラッキングメカニズムはレンズアセンブリの焦点をディスク内に埋め込まれたピット及びランドに合わせる。レンズアセンブリ内のレーザは透明なポリカーボネート１０２を通じて反射層１１０に上向きに光を発射する。反射層は光をレンズアセンブリに逆反射する。ピット１０６及びランド１０８は反射された光を変更する。レンズアセンブリ内のフォトダイオードは反射された光における変更を検出して、対応する電気信号を出力する。
【００２０】
レンズアセンブリが読み取ることのできる光ディスクの領域は、光ディスクの読取り可能領域として知られる。読取り可能領域は埋込みデータを含む領域と必ずしも同じではない。すなわち、埋込みデータが書き込まれることができない又は一般に書き込まれないにもかかわらず、レンズアセンブリによって読み取ることができる領域が光ディスク上にあってよい。
【００２１】
典型的なレンズアセンブリは光ディスクの埋込みデータのナノメートル規模のピット及びランドを読み取るように特に構成されているが、レンズアセンブリは埋込みデータだけを読み取るように物理的に限定されない。レンズアセンブリは光ディスクの表面又は底面に作成されたディスクの読取り可能領域内の表面マークも読み取ることができてよい。例えば光ディスクの底面及び読取り可能領域内に黒インクで書かれた単語は、典型的なレンズアセンブリのフォトダイオードによって検出された反射光においてもっとも変化をもたらしやすい。
【００２２】
本発明の実施形態は、光ディスクの表面マークから帯域外データを導出するための、及び導出された帯域外データを使用してディスクプレーヤの動作を制御するための方法及び装置（例えば光ディスクプレーヤ）である。
【００２３】
表面マークは、ディスクドライブの典型的なレンズアセンブリによって、又は追加の／他の検出システムによって検出され得るどのようなマークでもよい。表面マークは手書き、印刷、ステッカーの形での貼付、エッチングなどの、どのような方式で作成されてもよい。表面マークは光ディスクの片面又は両面に付けられてよい。
【００２４】
本発明の特定の実施形態では、表面マークは埋込みデータを読み取るために使用されるものと同じレンズアセンブリを使用して読み取られる。本発明の他の実施形態では、表面マークを読み取る特定の目的のためにレーザ、レンズ、フォトダイオードなどの他のコンポーネントがレンズアセンブリに追加される。本発明の他の実施形態では、表面マークを検出するためのメカニズムがレンズアセンブリとは別にディスクプレーヤに追加される。
【００２５】
埋込みデータと表面マークの両方を読み取るためにレンズアセンブリが使用される本発明のこれらの実施形態では、表面マークを読み取るためにレンズアセンブリによって使用される焦点設定は、埋込みデータを読み取るために使用される焦点設定と同じである。本発明の他の実施形態ではこの２つの焦点設定は異なる。特に表面マークを読み取るとき、レンズアセンブリは焦点を外してレンズアセンブリの解像度を下げるだけでなく、ディスク全体をスキャンするために必要な時間を減らす。一般に、表面マークは一般にレンズアセンブリによって読み取られるピット及びランドよりも非常に大きいので、解像度の低下は表面マークのスキャニング精度に影響しない。
【００２６】
図３は本発明の様々な実施形態による図２のディスクプレーヤ２００の機能の流れ図である。処理はステップ３０２で開始してステップ３０４に進み、そこで光ディスクの表面マークから帯域外情報が導出される。次にステップ３０６で導出された帯域外情報を使用してディスクプレーヤの動作を制御する。次いで処理はステップ３０８で終了する。
【００２７】
ディスクドライブ２０６は、埋込みデータを読み取るために使用されたものと同じメカニズム又は別のメカニズムで表面マークを読み取るように構成されている。第２の、ディスクドライブ２０６によって出力された帯域外信号２１８及び／又は２１４が表面マークから導出されてよい。
【００２８】
図４は本発明の一実施形態による図２のディスクプレーヤ２００の１つの可能な使用を説明する流れ図である。処理はステップ４０２で開始してステップ４０４に進み、そこで光ディスク上に表面マークが作成される。次にステップ４０６で光ディスクがディスクプレーヤ２００に挿入される。次にステップ４０８でディスクプレーヤが表面マークを読み取り、結果として得られた画像データ（例えばビットマップ）を帯域外データ２１８として光学式文字読取り装置（ＯＣＲ）モジュール２２２を備える図２のプロセッサ２０８に送信する。次にステップ４１０で受信したビットマップをＯＣＲモジュール２２２がテキストに変換して、そのテキストを帯域外情報２１６としてコントローラ２０４に送信する。次にステップ４１２で受信したテキストファイルをコントローラが構文解析して、再生オプションなどの様々なコントローラパラメータを設定して、それらのパラメータをディスクドライブ２０６に（帯域外データ２１４として）及び／又はプロセッサ２０８に（帯域外データ２１６として）伝送する。次いで処理はステップ４１４で終了する。
【００２９】
図５は本発明の特定の実施形態によるユーザが図１の光ディスク１００上に作成してよい表面マークの例を示す図である。ユーザが「フランス語」、「ドルビー５．１」、及び「カーソルなし」の３つの表面マーク５００を光ディスク１００の底面１０４に作成する。視聴者がディスクをスタンドアロン型ＤＶＤプレーヤ（ディスクプレーヤシステム）に挿入して再生ボタンを押す。
【００３０】
図６はディスク１００上の表面マーク５００の読取りを説明する図である。読取りは従来のレンズアセンブリ６００によって実行され得る。光ディスクの埋込みデータを読み取るときは、レンズアセンブリ６００は収束された光６０６をピット１０６及びランド１０８に放射する。表面マークを読み取るときは、レンズアセンブリ６００は表面マーク５００を含む光ディスク１００の底面１０４に焦点を外した光６０２を放射する。或いはディスク読取り装置は表面マークだけを読み取るように構成された別の画像装置６０８を含んでよい。画像装置６０８も、焦点を外した光６０２を表面マーク５００を含むディスク１００の底面１０４に放射する。
【００３１】
レンズアセンブリ６００又は画像装置６０８が反射光６０４における変化を検出して、結果として得られたビットマップを帯域外データ２１８としてＯＣＲモジュール２２２を備えるプロセッサ２０８に送信する。ＯＣＲモジュールはビットマップをテキストファイルに変換して、そのテキストファイルを帯域外データ２１６としてＭｉｃｒｏｓｏｆｔのＨＤｉランタイムプログラムなどのコントローラ２０４に送信する。ＨＤｉランタイムプログラムはテキストファイルを構文解析して（ｉ）対話言語をフランス語に設定し、（ｉｉ）音声をドルビー５．１に設定し、及び（ｉｉｉ）カーソルを消す。
【００３２】
他の例では、光ディスクはソフトウェアプログラムのインストール用ＣＤである。ユーザは特別な解錠コードをインストール用ＣＤの表面に書き込み、そのＣＤをユーザのパーソナルコンピュータ（ＰＣ）上のＣＤプレーヤなどのディスクドライブ２０６に挿入する。ＣＤプレーヤが表面マークを読み取り、プロセッサ２０８内のＯＣＲモジュール２２２がビットマップをＯＣＲ処理して解錠コードをコントローラ２０４に送信する。ここではコントローラはＰＣ上で稼働する実行可能インストールプログラムである。インストールプログラムが解錠コードを検証する。検証が成功した場合はインストールが進む。そうでない場合はインストールが停止する。
【００３３】
本発明はこれらの方法を実行するための方法及び装置の形で実施され得る。本発明は、磁気記録メディア、光記録メディア、固体メモリ、フロッピー（登録商標）ディスク、ＣＤ−ＲＯＭ、ハードドライブ、又は他の何らかの機械可読の記憶メディアなどの有形メディアに実施されたプログラムコードの形でも実施されることができ、プログラムコードがコンピュータなどの機械にロードされて実行されると、その機械は本発明を実施するための装置になる。本発明は、例えば記憶メディアに格納されたものでも機械にロードされた及び／又は機械によって実行されたものでもプログラムコードの形でも実施されることができ、プログラムコードがコンピュータなどの機械にロードされて実行されると、その機械は本発明を実施するための装置になる。汎用プロセッサに実装されると、プログラムコードセグメントはプロセッサに結合して、特定論理回路に類似して動作する一意の装置を提供する。
【００３４】
特に明記しない限り、それぞれの数値及び範囲は、その値又は範囲の値に「約」又は「大体」という単語が先行するかのように、おおよそのものと解釈されるべきである。
【００３５】
以下の特許請求の範囲で示したように、本発明の本質を説明するために記述及び図示された詳細、物質、及び部品の構成において、本発明の範囲から逸脱することなしに当業者によって様々な変更がなされてよいことがさらに理解されよう。
【００３６】
特許請求の範囲における図番号及び／又は図参照ラベルの使用は、特許請求の範囲の解釈を簡単にするために、請求した内容の１つ以上の可能な実施形態を識別することを意図する。このような使用は必ずしもこれらの特許請求の範囲を対応する図に示された実施形態に限定するものと解釈されるべきではない。
【００３７】
本明細書で説明された例示的方法の諸ステップは必ずしも記述した順序で実行される必要はないことが理解されるべきであり、このような方法の諸ステップの順序は単なる例示と理解されるべきである。同様に、このような方法に追加の諸ステップが含まれてよく、本発明の様々な実施形態と一致する方法において特定の諸ステップが省略又は結合されてよい。
【００３８】
以下の方法クレーム内の諸要素は、もしあれば、対応するラベリングとともに特定の順序で列挙されているが、クレームの列挙がそれらの諸要素のうちのいくつか又は全てを実施するための特定の順序を含意しない限り、それらの諸要素はその特定の順序で実装されているものと限定されることを必ずしも意図しない。
【００３９】
本明細書における「一実施形態」又は「ある実施形態」への言及は、その実施形態に関して説明された特定の特徴、構造、又は特性が本発明の少なくとも１つの実施形態に含まれ得ることを意味する。本明細書の様々な箇所に現れる「一実施形態において」という語句は必ずしも全てが同じ実施形態を言及せず、必ずしも他の実施形態と相互排他的な別々の又は代替の実施形態も言及しない。「実装」という用語にも同じことが当てはまる。
【図１】
2010262729.tif 000003
【図２】
2010262729.tif 000004
【図３】
2010262729.tif 000005
【図４】
2010262729.tif 000006
【図５】
2010262729.tif 000007
【図６】
2010262729.tif 000008